(57)【特許請求の範囲】
【請求項１】
所定のＩＤ照合動作に基づいて施解錠されるドア錠を備え、その屋外側面に、機械鍵によってドア錠を施解錠可能な機械錠を設けるとともに、その機械錠における機械鍵の挿入口を導電性金属からなるカバーで隠蔽したドアであって、
前記挿入口に設けられ、前記カバーの装着状態において該カバーによって導通される２つの電極を有し、該カバーを介した両電極間の導通有無に基づいて前記カバーの有無を検知するカバー検知手段と、前記カバーが前記挿入口から取り外されたことを前記カバー検知手段が検知したときに作動して警告を発する警告手段とを備えることを特徴とするドア。
【請求項２】
前記ＩＤ照合動作を行うときに用いられる電源と、前記警告手段を作動させるための電源とは、共通のものであることを特徴とする請求項１に記載のドア。
【請求項３】
前記警告手段は、一旦作動した後に前記カバーを再び前記機械錠に装着しても、作動し続けることを特徴とする請求項１または請求項２に記載のドア。
【請求項４】
当該ドアの側面またはドアの屋内側には、前記警告手段の作動を停止させる停止手段が設けられていることを特徴とする請求項１〜３のいずれか１項に記載のドア。
【請求項５】
当該ドア内には、前記ドア錠の施解錠状態を検出する検出手段が設けられ、前記警告手段は、その検出手段によって前記ドア錠の解錠状態が検出されたときに作動を停止することを特徴とする請求項１〜４のいずれか１項に記載のドア。
【発明の詳細な説明】
【０００１】
【発明の属する技術分野】
本発明は、例えば住宅の玄関に用いられるドアに関するものである。
【０００２】
【従来の技術】
一般に、住宅等の建物のドア錠は、ドアに設けられた鍵穴に機械的なキーを挿入して回動することにより、施錠・解錠されるようになっている。
【０００３】
しかし近年では、セキュリティの向上を目的に、ＩＤコードを用いた電子キーシステムも提案されている。この電子キーシステムは、所定のＩＤコードが記録された電子キーと、そのＩＤコードを読み取るための電子錠とから構成されている。こうした電子キーシステムとして、電子錠に設けられたカードリーダに電子キーを接触させることによって、電子錠にＩＤコードを読み込ませるものがある。また、電子キーに設けられた送信ボタンを押すことによって、ＩＤコードを含む無線信号を電子キーから電子錠に送信させて、電子錠にＩＤコードを読み込ませるものもある。いずれのタイプも、電子錠は、読み取ったＩＤコードと、予め設定されたＩＤコードとを比較し、それらＩＤコード同士が一致したときにドア錠を解錠するようになっている。
【０００４】
しかし、これら電子キーシステムでは、停電等によって電子錠に電力が供給されないときには、電子錠によるドア錠の解錠が不能となるという不都合があった。よって、こうした操作性の低下を解消するためには、従来の機械錠をドアに併設し、電子キー及び機械鍵のうちのいずれか一方によってドア錠を解錠可能としておく必要があった。
【０００５】
【発明が解決しようとする課題】
ところが、機械錠をドアに併設すると、ドア錠のセキュリティレベルは、機械錠のセキュリティレベルと何ら変わらないものとなってしまう。すなわち、ドア錠を解錠するための操作性を向上させようとすると、セキュリティレベルが低下してしまうという問題点があった。
【０００６】
本発明はこうした実情に鑑みてなされたものであり、その目的は、セキュリティレベル及び操作性の低下を防止することができるドアを提供することにある。
【０００７】
【課題を解決するための手段】
上記の課題を解決するために、請求項１に記載の発明では、所定のＩＤ照合動作に基づいて施解錠されるドア錠を備え、その屋外側面に、機械鍵によってドア錠を施解錠可能な機械錠を設けるとともに、その機械錠における機械鍵の挿入口を導電性金属からなるカバーで隠蔽したドアであって、前記挿入口に設けられ、前記カバーの装着状態において該カバーによって導通される２つの電極を有し、該カバーを介した両電極間の導通有無に基づいて前記カバーの有無を検知するカバー検知手段と、前記カバーが前記挿入口から取り外されたことを前記カバー検知手段が検知したときに作動して警告を発する警告手段とを備えることを要旨とする。
【０００８】
請求項２に記載の発明では、請求項１に記載のドアにおいて、前記ＩＤ照合動作を行うときに用いられる電源と、前記警告手段を作動させるための電源とは、共通のものであることを要旨とする。
【０００９】
請求項３に記載の発明では、請求項１または請求項２に記載のドアにおいて、前記警告手段は、一旦作動した後に前記カバーを再び前記機械錠に装着しても、作動し続けることを要旨とする。
【００１０】
請求項４に記載の発明では、請求項１〜３の何れか１項に記載のドアにおいて、当該ドアの側面またはドアの屋内側には、前記警告手段の作動を停止させる停止手段が設けられていることを要旨とする。
【００１１】
請求項５に記載の発明では、請求項１〜４の何れか１項に記載のドアにおいて、当該ドア内には、前記ドア錠の施解錠状態を検出する検出手段が設けられ、前記警告手段は、その検出手段によって前記ドア錠の解錠状態が検出されたときに作動を停止することを要旨とする。
【００１５】
以下、本発明の「作用」について説明する。
請求項１〜５に記載の発明によると、ドアには機械錠が設けられているため、停電等によってＩＤ照合動作が不能となったときには、この機械錠を使用してドア錠を施解錠することができる。また、通常、機械錠における機械鍵の挿入口はカバーによって隠蔽されているため、第三者は、ドアに機械錠が設けられているかどうかを判断しにくい。しかも、カバーを取り外さないと機械錠の種類を確認することができない。よって、不審者のドアへの接近を未然に防ぐことができ、ドア錠のセキュリティレベル及び操作性の低下を防止することができる。
【００１７】
また、カバーが機械錠から取り外されたときには、警告手段が作動して警告が発せられる。このため、第三者が機械錠を破錠しようとする際には、警告が発せられたなかで破錠作業を行うこととなる。よって、第三者による機械錠の破錠を高いレベルで抑制することができ、ドア錠のセキュリティレベルを向上させることができる。
【００１８】
請求項２に記載の発明によると、通常、所有者は、ＩＤ照合動作が不能となる停電時に、機械鍵を用いたドア錠の施解錠を行うことが多い。そして、こうした場合には警告手段にも電力が供給されないため、カバーを取り外しても警告音が発せられることはない。よって、所有者は警告手段を作動させることなく機械鍵を用いたドア錠の施解錠操作を行うことができる。
【００２０】
請求項３に記載の発明によると、警告手段は、一旦作動した後にカバーを再び機械錠に装着しても、作動し続けるようになっている。このため、例えば機械錠を破錠しようとする第三者が、機械錠にカバーを取り付けたことと同等の操作（カバー検知手段が「カバー有り」と判断するような操作）をしても、警告手段の作動が停止してしまうことはない。すなわち、擬似的なカバーの装着状態をつくって警告手段の作動を停止させようとしても、警告手段の作動が停止してしまうことはない。よって、第三者による機械錠の破錠をより高いレベルで抑制することができ、ドア錠のセキュリティレベルをより向上させることができる。
【００２１】
請求項４に記載の発明によると、停止手段はドアの側面または建物の屋内に設けられているため、停止手段を作動させるためには、ドア錠を解錠させることが必要となる。よって、所有者が、携帯機の電池切れ時などに機械鍵を用いてドア錠を解錠した際には、速やかに警告手段の作動を停止させることができる。
【００２２】
請求項５に記載の発明によると、ドア錠が解錠されたときには、警告手段の作動が停止される。このため、所有者が、携帯機の電池切れ時などに機械鍵を用いてドア錠を解錠した際には、停止方法を知らない場合であっても、より速やかに警告手段の作動を停止させることができる。
【００２３】
【発明の実施の形態】
（第１実施形態）
以下、本発明を具体化した第１実施形態を図１〜図４に基づき詳細に説明する。
【００２４】
図１に示すように、遠隔操作装置１は、住宅２の所有者（家人）に所持される携帯機１１と、住宅２のドア３内に配設され、携帯機１１と相互通信可能な通信制御装置１２とを備えている。
【００２５】
図２及び図３に併せ示すように、ドア３には、屋外側に露出する屋外アンテナ部４と、屋内側に露出する屋内アンテナ部５が配設されている。屋外アンテナ部４には、ＬＥＤ等からなる表示部６が形成されている。
【００２６】
屋外アンテナ部４の内部には図４に示す送信アンテナ４ａ，４ｂが配設され、、屋内アンテナ部５の内部には図３及び図４に示す送信アンテナ５ａ，５ｂが配設されている。また、図１及び図２に示すように、ドア３の側面３ａには、受信アンテナ１２ａが埋設されている。
【００２７】
なお、本実施形態において、送信アンテナ４ａ，４ｂ，５ａ，５ｂは１３４ｋＨｚの電波を送信可能に設定され、受信アンテナ１２ａは３００ＭＨｚの電波を受信可能に設定されている。
【００２８】
また、ドア３には２つのドア錠７，８が形成されており、同ドア３の屋内側面には、これらドア錠７，８を手動で施解錠可能な手動ロック機構７ａ，８ａが形成されている。これら手動ロック機構７ａ，８ａは、一般的な屋内側施解錠用つまみである。よって、これら手動ロック機構７ａ，８ａを手動で操作することによって対応するドア錠７，８を手動で施解錠することができる。
【００２９】
図４に示すように、携帯機１１は、受信回路１３、マイクロコンピュータ（マイコン）１４、送信回路１５、及び入力回路１６を備えている。
受信回路１３は、通信制御装置１２からのリクエスト信号を受信して、その信号をマイコン１４に入力するための回路である。
【００３０】
マイコン１４は、受信回路１３からのリクエスト信号が入力されたときに、予め設定された所定のＩＤコードを含む送信信号（ＩＤコード信号）を出力するための回路である。
【００３１】
送信回路１５は、ＩＤコード信号を所定周波数の電波に変調して外部に送信するための回路である。
受信回路１３には受信アンテナ１７ａが接続され、送信回路１５には送信アンテナ１７ｂが接続されている。なお、本実施形態におけるＩＤコード信号の周波数は３００ＭＨｚに設定されている。よって、受信アンテナ１７ａは１３４ｋＨｚの電波を受信可能に設定され、アンテナ１７ｂは３００ＭＨｚの電波を送信可能に設定されている。
【００３２】
入力回路１６は、操作キー等からなり、家人のキー操作によって入力された操作信号をマイコン１４に入力するための回路である。
一方、図４に示すように、通信制御装置１２は、送信回路２１、受信回路２２、及びマイクロコンピュータ（マイコン）２３を備えている。
【００３３】
送信回路２１には前記送信アンテナ４ａ，４ｂ，５ａ，５ｂが接続され、受信回路２２には前記受信アンテナ１２ａが接続されている。
送信回路２１は、マイコン２３から出力されるリクエスト信号を所定周波数の電波に変換し、送信アンテナ４ａ，４ｂ，５ａ，５ｂを介して出力するための回路である。したがって、図２に示すように、リクエスト信号は、送信アンテナ４ａ，４ｂを介して屋外側におけるドア３の周辺の所定領域Ａ１に出力されるとともに、送信アンテナ５ａ，５ｂを介して屋内側におけるドア３の周辺の所定領域Ａ２に出力される。すなわち、これらの所定領域Ａ１，Ａ２において携帯機１１と通信制御装置１２との相互通信が可能となる。なお、本実施形態におけるリクエスト信号の周波数は、１３４ｋＨｚに設定されている。
【００３４】
携帯機１１から出力されたＩＤコード信号は、受信アンテナ１２ａを介して受信回路２２によって受信される。この受信回路２２は、そのＩＤコード信号をパルス信号に復調して受信信号を生成するとともに、その受信信号をマイコン２３へ出力するための回路である。
【００３５】
マイコン２３には、表示部６及びドア錠７，８が電気的に接続されている。マイコン２３は、図示しないＣＰＵ、ＲＯＭ、ＲＡＭ等からなるＣＰＵユニットである。このマイコン２３は、ＩＤコードを含む受信信号が入力されたときには、メモリ２３ａに記録されたＩＤコードと受信信号に含まれるＩＤコードとの比較（ＩＤコードの照合）を行うようになっている。そして、それらＩＤコードが一致したときに、マイコン２３は、ドア錠７，８に対して駆動信号を出力するようになっている。
【００３６】
次に、このように構成された遠隔操作装置１によるドア錠７，８の基本的な施解錠動作について説明する。
遠隔操作装置１の動作時には、まず、通信制御装置１２の送信アンテナ４ａ，５ａから所定領域Ａ１，Ａ２に対して、リクエスト信号が間欠的に出力される。このリクエスト信号は、遠隔操作装置１の動作中、常時出力される。
【００３７】
携帯機１１は、所定領域Ａ１，Ａ２内に入ってリクエスト信号を受信すると、このリクエスト信号に応答してＩＤコード信号を自動送信する。すなわち、携帯機１１を所持する家人がドア３に近づいたときに、携帯機１１からＩＤコード信号が自動送信される。携帯機１１は、通常、リクエスト信号を受信するためのスタンバイモードとなっており、該リクエスト信号の受信時にのみＩＤコード信号を送信するようになっている。
【００３８】
通信制御装置１２は、ＩＤコード信号を受信すると、そのＩＤコード信号に含まれるＩＤコードを、自身に予め記録されたＩＤコードと比較する。そして、それらＩＤコード同士が一致したときには、ドア錠７，８に対して駆動信号を出力して、ドア錠７，８を解錠させる。このため、ドア錠７，８は、家人がドア３に近づくだけで自動的に解錠される。すなわち、家人は、ドア錠７，８を解錠するための操作を一切行う必要がない。
【００３９】
一方、ドア錠の解錠後、携帯機１１が所定領域Ａ１，Ａ２から離間したときには、携帯機１１は、リクエスト信号を受信できなくなるため、ＩＤコード信号を送信しなくなる。すなわち、通信制御装置１２はＩＤコード信号を受信できなくなる。この場合、マイコン２３は、携帯機１１がドア３から離れたものと判断して、ドア錠７，８に対して駆動信号を出力し、ドア錠７，８を施錠させる。よって、ドア錠７，８は、家人がドア３から離間するだけで自動的に施錠される。すなわち、家人は、ドア錠７，８を施錠するための操作を一切行う必要がない。
【００４０】
したがって、こうした遠隔操作装置１によれば、ドア錠７，８を一切の操作を行うことなく施解錠することができる。また、マイコン２３は、ドア錠７，８の解錠時及び施錠時に、前記表示部６に対して信号を出力し、同表示部６によって解錠または施錠されたことを表示させる。なお、本実施形態において表示部６は、色の異なる２つのＬＥＤからなり、ドア錠７，８の解錠時には一方のＬＥＤが点灯され、ドア錠７，８の施錠時には他方のＬＥＤが点灯されるようになっている。
【００４１】
また、入力回路１６の動作時には、携帯機１１から通信制御装置１２に手動操作信号が送信される。この手動操作信号には、ドア錠７，８を優先的に解錠または施錠するための信号が含まれている。そして、通信制御装置１２は、この手動操作信号を受信すると、ドア錠７，８を優先的に解錠または施錠させる。このため、入力回路１６を構成する操作キーによって解錠の操作がなされたときには、たとえ携帯機１１が所定領域Ａ１，Ａ２外にあったとしても、ドア錠７，８は解錠される。そして、施錠の操作がなされたときには、たとえ携帯機１１が所定領域Ａ１，Ａ２内にあったとしても、ドア錠７，８は施錠される。
【００４２】
ところで、図１〜図３に示すように、ドア３の屋外側面において、各ドア錠７，８の近辺に位置する各箇所には、それぞれ機械錠３１，３２が形成されている。各機械錠３１，３２は、略小判状をなしている。
【００４３】
図３に示すように、機械錠３１，３２の表面には、凹部３３が設けられている。凹部３３の奥面には、ドア錠７，８と連動するシリンダ３１ａ，３２ａの一端面が露出しており、その露出した端面には機械鍵の挿入口３４が設けられている。そして、挿入口３４に対応する機械鍵を挿入してシリンダを回動することにより、ドア錠７，８を施解錠できるようになっている。なお、各機械錠３１，３２は、共に同じ構成をなしている。
【００４４】
このため、通信制御装置１２の停電時など、遠隔操作によるドア錠７，８の施解錠が不能なときには、機械鍵で機械錠３１，３２を操作することにより、ドア錠７，８の施解錠を行うことが可能となる。
【００４５】
また、これら機械錠３１，３２には、それぞれカバー３５が装着されている。これらカバー３５は薄板状をなし、機械錠３１，３２の表面に装着されている。各カバー３５は不透明となっており、本実施形態ではその表面の色がドア３の色と同色に設定されている。また、各カバー３５は略小判状をなし、その外郭が各機械錠３１，３２の表面の外郭と一致する形状をなしている。これらカバー３５の裏面には粘着剤層が形成されており、その粘着剤層が機械錠３１，３２の表面に粘着されることによって機械錠３１，３２に装着されている。これにより、機械錠３１，３２の挿入口３４はカバー３５によって隠蔽された状態となっている。
【００４６】
したがって、本実施形態によれば以下のような効果を得ることができる。
（１）ドア３には機械錠３１，３２が設けられ、機械鍵を用いてこれら機械錠３１，３２を操作することによりドア錠７，８を施解錠することができる。このため、停電等によって遠隔操作装置１が作動不能のときには、これら機械錠３１，３２を操作してドア錠７，８を施解錠することができる。よって、ドア錠７，８を施解錠するための操作性を向上させることができる。
【００４７】
また、機械錠３１，３２の挿入口３４はカバー３５によって隠蔽されているため、第三者は、ドア３に機械錠３１，３２が設けられているかどうかを判断しにくい。しかも、カバー３５を取り外さないと機械錠３１，３２の種類を確認することができない。よって、不審者のドア３への接近を未然に防ぐことができ、ドア錠７，８のセキュリティレベル及び操作性の低下を防止することができる。
【００４８】
（２）携帯機１１は、リクエスト信号の出力領域Ａ１，Ａ２に入ると、通信制御装置１２に対して自動的に送信信号を送信する。そして、通信制御装置１２は、その送信信号に含まれるＩＤコードと、予め設定されたＩＤコードとを比較し、それらＩＤコード同士が一致したときにドア錠７，８を解錠する。このため、携帯機１１の所有者は、ドア３に近づくだけで、一切の操作を行うことなくドア錠７，８を解錠することができる。また、通信制御装置１２は、ドア錠７，８が解錠された後、携帯機１１からの送信信号を受信できなくなったときには、ドア錠７，８が自動的に施錠される。このため、所有者は、一切の操作を行うことなくドア錠７，８を施錠することができる。
【００４９】
（３）カバー３５の裏面には粘着剤層が形成され、その粘着剤層がが機械錠３１，３２の表面に粘着されることにより、カバー３５が機械錠３１，３２に装着されている。このため、機械錠３１，３２を使用する際には、このカバー３５を機械錠３１，３２から容易に剥離することができる。つまり、煩雑な作業を行うことなく機械錠３１，３２を使用することができる。
【００５０】
（４）カバー３５の表面の色は、ドア３の色と同色に設定されている。このため、ドア３に機械錠３１，３２が設けられていることを、より認識しにくくすることができる。
【００５１】
なお、この第１実施形態は以下のように変更してもよい。
・  前記第１実施形態では、カバー３５の裏面に粘着剤層を形成し、その粘着剤層を機械錠３１，３２の表面に粘着することによってカバー３５を装着するようにしている。しかし、機械錠３１，３２に対するカバー３５の装着態様は、これに限らない。例えば、図５に示すように、カバー３５として、機械錠３１，３２全体を覆うカバー３６に変更する。なお、同図において、機械錠３１，３２は、略円形状に形成されている。このカバー３６は、例えば金属等からなる硬質材料によって形成され、機械錠３１，３２を収容可能な凹部３６ａを備えている。また、カバー３６の隅部には、複数（ここでは４個）のボルト挿通孔３７が透設されている。一方、ドア３において各ボルト挿通孔３７と対応する箇所には、それぞれ雌ねじ部３８が設けられている。
【００５２】
こうしたカバー３６は、ボルト３９を各ボルト挿通孔３７に挿通させた状態で各雌ねじ部３８に螺着することによって機械錠３１，３２に装着されるようになっている。このため、カバー３６を取り外す際には、所定の工具を用いて各ボルト３９を螺脱させる必要がある。よって、不審者のドア３への接近を未然に防ぐことができる。したがって、ドア錠７，８のセキュリティレベルを一層向上させることができる。
【００５３】
なお、ボルト３９としては、特殊な工具を用いることによってのみ螺脱できるもの（例えば特殊ねじ）を用いることが望ましい。このようにすれば、第三者によるカバー３６の除去をより困難にすることができ、ドア錠７，８のセキュリティレベルをより一層向上させることができる。そして、その特殊工具を携帯機１１に配設しておけば、家人は、カバー３６を比較的容易に除去することができる。
【００５４】
また、ボルト３９に代えて、リベットを用いたり、強力な接着剤を用いてカバー３６を機械錠３１，３２の表面に接着するようにしてもよい。この場合でも、カバー３６を剥離するための特殊工具が必要となり、セキュリティレベルを向上させることができる。
（第２実施形態）
次に、本発明を具体化した第２実施形態を図１、図６及び図７に基づいて説明する。なお、以下の各実施形態においては、第１実施形態と相違する点を主に述べ、共通する点については同一部材番号を付すのみとしてその説明を省略する。
【００５５】
この第２実施形態では、図６に示すように、カバー３５は略円形状に形成され、各凹部３３内に挿入した状態で各機械錠３１，３２に装着可能となっている。すなわち、本実施形態では、カバー３５を凹部３３内に挿入した状態で挿入口３４を隠蔽するようになっている。凹部３３には段部３３ａが設けられており、カバー３５はこの段部３３ａに接するように装着される。また、カバー３５は、導電性金属によって形成されている。なお、本実施形態においてカバー３５の裏面の所定箇所には粘着剤層が形成されている。そして、この粘着剤層が段部３３ａに粘着されることによって、カバー３５が機械錠３１，３２に装着されている。
【００５６】
また、図６（ｂ）に示すように、凹部３３内には、２つの電極４１ａ，４１ｂが露出した状態で形成されている。これら電極４１ａ，４１ｂは、互いに離間した位置、かつカバー３５の装着時に同カバー３５と接触する位置に形成されている。カバー３５の裏面に形成された粘着剤層は、これら電極４１ａ，４１ｂを除く箇所に形成されている。このため、カバー３５の装着時には、カバー３５を介して両電極４１ａ，４１ｂ同士が導通する。そして、このカバー３５及び両電極４１ａ，４１ｂによって、カバー検知手段としてのカバー検知スイッチ４１が構成されている。
【００５７】
各電極４１ａ，４１ｂには、それぞれ電線４２ａ，４２ｂが接続され、これら電線４２ａ，４２ｂは、図１に２点鎖線で示すブザーユニット４３に接続されている。このブザーユニット４３はドア３の屋外側面に配設され、図７に示すように、リレーＲＬ１と警告手段としてのブザー４４とを備えている。そして、カバー検知スイッチ４１、ブザー４４及びリレーＲＬ１によってブザー作動回路４５が構成されている。
【００５８】
リレーＲＬ１は２接点型のリレーであり、その接点ＣＰ１，ＣＰ２はＢ接点となっている。接点ＣＰ１はブザー４４の一端子に接続され、接点ＣＰ２は電源を介してブザー４４の他端子に接続されている。また、リレーＲＬ１のコイル部の一端には前記電線４２ｂが接続され、他端には電源を介して前記電線４２ａが接続されている。これにより、ブザー作動回路４５が構成されている。
【００５９】
そして、こうしたブザー作動回路４５においては、機械錠３１，３２にカバー３５が装着されているときには、カバー検知スイッチ４１がＯＮした状態に相当するため、リレーＲＬ１のコイル部に電流が流れる。このため、接点ＣＰ１，ＣＰ２は開放状態となる。よって、ブザー４４に電流は流れず、ブザー４４は作動しない。また、機械錠３１，３２からカバー３５が取り外されたときには、カバー検知スイッチ４１がＯＦＦした状態に相当するため、接点ＣＰ１，ＣＰ２が短絡状態となる。よって、ブザー４４に電流が流れ、ブザー４４が作動する。ブザー４４は、作動時に所定の音量の警告音を発するようになっている。すなわち、このブザー作動回路４５は、機械錠３１，３２からカバー３５が取り外されたときに、ブザー４４を作動して警告音を発するようになっている。
【００６０】
したがって、本実施形態によれば、前記第１実施形態における上記（１）〜（４）に記載の効果に加えて、以下のような効果を得ることができる。
（５）カバー３５が機械錠３１，３２から取り外されたときには、ブザー４４が作動して警告が発せられる。このため、第三者が機械錠３１，３２を破錠しようとする際には、警告が発せられたなかで破錠作業を行うこととなる。よって、ドア錠７，８の不正な解錠を周りに知らせることができる。したがって、第三者による機械錠３１，３２の破錠を高いレベルで抑制することができ、ドア錠７，８のセキュリティレベルを向上させることができる。
【００６１】
また、通常、家人は、通信制御装置１２の停電時などに、機械錠３１，３２によるドア錠７，８の施解錠を行うことが多い。そして、こうした場合、ブザー４４には電力が供給されないため、カバー３５を取り外しても警告音が発せられることはない。よって、家人は警告音を鳴らすことなく機械錠３１，３２によるドア錠７，８の施解錠操作を行うことができる。
【００６２】
（６）カバー３５が取り外されたときには警告音が発せられるため、機械錠３１，３２に対してカバー３５を強固に装着しなくても、機械錠３１，３２の破錠を高いレベルで抑制することができる。よって、ドア錠７，８のセキュリティレベルを向上させることができるとともに、家人によるカバー３５の取り外しも容易に行うことができる。
【００６３】
（７）警告手段としてブザー４４が用いられている。このため、ドア錠７，８の不正な解錠が行われようとしたときには、近隣の住人などにその旨を認識させることができる。また、音による警告は不審者に対して心理的に与える効果が大きいため、泥棒等の侵入の抑止力効果を高めることができる。
【００６４】
（８）ブザー作動回路４５は、カバー検知スイッチ４１、ブザー４４及びリレーＲＬ１のみによって構成されている。このため、ブザー作動回路４５を比較的簡単な構成で形成することができる。
（第３実施形態）
次に、本発明を具体化した第３実施形態を図８及び図９に基づいて説明する。
【００６５】
この第３実施形態において前記第２実施形態と異なる点は、ブザー作動回路４５の回路構成についてである。
図８に示すように、ドア３の閉じ面３ａには、停止手段としてのブザー停止スイッチ４６とリセットスイッチ４７とが並設されている。これらスイッチ４６，４７は押しボタンスイッチであり、ブザー停止スイッチ４６は、接点保持型スイッチ（オルタネーティブ・スイッチ）によって構成されている。これに対して、リセットスイッチ４７は、非接点保持型スイッチ（モーメンタリ・スイッチ）によって構成されている。
【００６６】
そして、図９に示すように、これらスイッチ４６，４７は、ブザーユニット４３に電気的に接続され、ブザー作動回路４５の構成要素となっている。また、同図に示すように、本実施形態におけるブザーユニット４３は、ブザー４４と３接点型のリレーＲＬ２とを備えている。すなわち、本実施形態のブザー作動回路４５は、カバー検知スイッチ４１、ブザー４４、リレーＲＬ２、ブザー停止スイッチ４６及びリセットスイッチ４７によって構成されている。
【００６７】
このブザー作動回路４５においては、前記電線４２ａが電源に接続され、前記電線４２ｂがリレーＲＬ２のコイル部の一端に接続されている。同コイル部の他端は、リセットスイッチ４７の接点４７ａ及びリレーＲＬ２の接点ＣＰ２に接続されている。リセットスイッチ４７の他方の接点４７ｂは接地されている。また、リレーＲＬ２の接点ＣＰ１は、ブザー停止スイッチ４６の接点４６ａに接続されている。ブザー停止スイッチ４６の他方の接点４６ｂはブザー４４の一端子に接続され、同ブザー４４の他端子は電源に接続されている。リレーＲＬ２の接点ＣＰ３は接地されている。なお、リレーＲＬ２の接点ＣＰ３はコモン接点となっている。そして、リレーＲＬ２が消磁されているときに接点ＣＰ３と接点ＣＰ１とが導通した状態となり、リレーＲＬ２が励磁されているときに接点ＣＰ３と接点ＣＰ２とが導通した状態となる。
【００６８】
このように構成されたブザー作動回路４５においては、まず、機械錠３１，３２にカバー３５を装着した状態で、リセットスイッチ４７をＯＮさせる。すると、「カバー検知スイッチ４１→リレーＲＬ２のコイル部→リセットスイッチ４７」の経路で電流が流れる。すなわち、リレーＲＬ２が励磁される。これにより、リレーＲＬ２の接点ＣＰ３は接点ＣＰ２と導通する。ここで、リセットスイッチ４７をＯＦＦさせても、図９（ａ）に示すように、「カバー検知スイッチ４１→リレーＲＬ２のコイル部→接点ＣＰ２→接点ＣＰ３」の経路で電流が流れる。このため、リレーＲＬ２は励磁された状態を維持する。つまり、リレーＲＬ２は自己保持回路となっている。そして、この状態においてはブザー４４に電流が流れないため、ブザー４４が作動することはない。
【００６９】
その後、機械錠３１，３２からカバー３５が取り外されると、図９（ｂ）に示すように、カバー検知スイッチ４１の電極４１ａと電極４１ｂとが開放状態となり、リレーＲＬ２のコイル部に電流が流れなくなる。すなわち、リレーＲＬ２は消磁され、接点ＣＰ３と接点ＣＰ１との導通状態に切り換わる。これにより、「ブザー４４→ブザー停止スイッチ４６→接点ＣＰ１→接点ＣＰ３」の経路で電流が流れ、ブザー４４が作動する。つまり、カバー３５が取り外されると、ブザー４４から警告音が発せられる。
【００７０】
また、図９（ｃ）に示すように、一旦ブザー４４が作動した後に、カバー３５を再び機械錠３１，３２に装着して電極４１ａ，４１ｂ間を導通させても、リレーＲＬ２は励磁されないため、ブザー４４は作動し続ける。よって、ブザー４４の作動を停止するためには、ブザー停止スイッチ４６をＯＦＦするか、カバー３５を再び装着した後にリセットスイッチ４７をＯＮする必要がある。
【００７１】
したがって、本実施形態によれば、前記各実施形態における上記（１）〜（７）に記載の効果に加えて、以下のような効果を得ることができる。
（９）ブザー４４は、一旦作動すると、その後にカバー３５を再び機械錠３１，３２に装着しても作動し続けるようになっている。このため、例えば機械錠３１，３２を不正に破錠しようとする第三者が、ブザー４４の作動後、電線などで電極４１ａと電極４１ｂとを短絡させても、ブザー４４は作動し続ける。すなわち、機械錠３１，３２にカバーを取り付けたことと同等の操作を行っても、ブザー４４の作動が停止してしまうことはない。よって、擬似的なカバー３５の装着状態をつくってブザー４４の作動を停止させようとしても、ブザー４４の作動を停止することができない。したがって、ドア錠７，８の不正な解錠を確実に周りに知らせることができる。その結果、第三者による機械錠３１，３２の破錠をより高いレベルで抑制することができ、ドア錠７，８のセキュリティレベルを一層向上させることができる。
【００７２】
（１０）ドア３の閉じ面３ａには、ブザー停止スイッチ４６が設けられている。このため、家人が機械錠３１，３２によるドア錠７，８の解錠を行ってブザー４４が作動しても、ブザー停止スイッチ４６を操作することによってブザー４４の作動を速やかに停止させることができる。
【００７３】
なお、この第３実施形態は以下のように変更してもよい。
・  前記実施形態では、ブザー停止スイッチ４６及びリセットスイッチ４７が、ドア３の閉じ面３ａに配設されている。しかし、これらスイッチ４６，４７は、閉じ面３ａに限らず、ドア３の屋内側であれば何処に配設されてもよい。
（第４実施形態）
次に、本発明を具体化した第４実施形態を図１０〜図１２に基づいて説明する。
【００７４】
この第４実施形態において前記第３実施形態と異なる点は、ブザー停止スイッチ４６を、ドア錠７，８の施解錠状態を検出する検出スイッチ４８に変更した点についてである。詳しくは、図１０に示すように、検出スイッチ４８は、ドア３内において機械錠３１，３２の近辺に配設されている。図１１及び図１２に示すように、この検出スイッチ４８はＢ接点型のモーメンタリスイッチであり、通常、接点４８ａと接点４８ｂとが接続片４８ｃによって導通されている。また、検出スイッチ４８には、接続片４８ｃと連動する突起４９が突設されている。すなわち、突起４９が押されたときに、接点４８ａと接点４８ｂとの間が開放されるようになっている。そして、図１１及び図１２に示すように、接点４８ａはリレーＲＬ２の接点ＣＰ１に接続され、接点４８ｂはブザー４４の一端子に接続されている。
【００７５】
一方、各機械錠３１，３２内には、各錠３１，３２のシリンダ３１ａ，３２ａとともに回動する突部５０が突設されている。図１０（ａ）に示すように、ドア錠７，８の施錠時において突部５０は、上方に位置している。また、図１０（ｂ）に示すように、ドア錠７，８の解錠時には、突部５０が回動して突起４９を押した状態となる。すなわち、ドア錠７，８を解錠したときに、検出スイッチ４８の接点４８ａと接点４８ｂとの間が開放される。
【００７６】
このように構成されたブザー作動回路４５においても、図１１（ｂ）に示すように、カバー３５を取り外すと前記第３実施形態と同様にブザー４４が作動して警告音を発する。そして、図１２（ａ）に示すように、機械錠３１，３２にカバー３５を再び装着してもリレーＲＬ２は励磁されないため、ブザー４４は作動し続ける。よって、ブザー４４の作動を停止するためには、カバー３５を再び装着した後にリセットスイッチ４７をＯＮするか、図１２（ｂ）に示すように、検出スイッチ４８をＯＦＦする必要がある。
【００７７】
したがって、本実施形態によれば、前記各実施形態における上記（１）〜（７）及び（９）に記載の効果に加えて、以下のような効果を得ることができる。
（１１）ドア３内における機械錠３１，３２の近辺には、ドア錠７，８を解錠させたときにＯＦＦ状態となる検出スイッチ４８が配設されている。このため、家人が機械錠３１，３２からカバー３５を取り外すことによってブザー４４が作動しても、機械錠３１，３２によるドア錠７，８の解錠を行った時点でブザー４４の作動を停止させることができる。よって、ブザー４４の作動時間を最低限に抑えることができる。
【００７８】
（１２）ブザー４４の作動を停止させるための特別な操作を行う必要がない。このため、「家人がブザー４４の作動を停止させるための操作を知らない場合には、ブザー４４の作動を停止できない。」といった不都合が生じない。
【００７９】
なお、この第４実施形態は以下のように変更してもよい。
・  前記第４実施形態では、検出手段として検出スイッチ４８を用いている。しかし、検出手段は、検出スイッチ４８に限らず、例えば近接センサや接触センサであってもよい。この場合には、前記突部５０が、検出手段に対して近接または接触したときに、ブザー４４の作動を停止するようにすればよい。このようにすれば、経年変化に起因する機械的な接触不良の発生を防止することができ、検出手段としての耐久性を向上させることができる。
（第５実施形態）
次に、本発明を具体化した第５実施形態を図１３〜図１５に基づいて説明する。
【００８０】
図１３（ａ），（ｂ）に示すように、カバー３５の裏面側には、裏面に対して垂直に延びる突部３５ａが形成されている。この突部３５ａは、各機械錠３１，３２の挿入口３４内に挿入可能に形成されている。
【００８１】
また、ドア３内における機械錠３１，３２の奥部には、カバー検知手段としてのカバー検知スイッチ５１が配設されている。図１３（ｃ）に示すように、このカバー検知スイッチ５１はＢ接点型のモーメンタリスイッチであり、通常、接点５１ａと接点５１ｂとが接続片５１ｃによって導通されている。また、カバー検知スイッチ５１には、接続片５１ｃと連動する突起５２が突設されている。すなわち、突起５２が押されたときに、接点５１ａと接点５１ｂとの間が開放されるようになっている。この突起５２は、図１３（ｂ）に示すように、カバー３５の突部３５ａが各機械錠３１，３２の挿入口３４内に挿入されているときに、突部３５ａの先端によって押された状態となっている。よって、カバー３５の装着状態においては、接点５１ａと接点５１ｂとが開放されている。
【００８２】
そして、本実施形態においてブザー作動回路４５は、図１３（ｃ）に示すように、カバー検知スイッチ５１とブザー４４とによって構成されている。詳しくは、接点５１ａが接地され、接点５１ｂがブザー４４の一端子に接続されている。ブザー４４の他端子は、電源に接続されている。よって、カバー３５の装着状態においてはブザー４４に電力が供給されないため、ブザー４４は作動しない。
【００８３】
また、図１４（ａ）に示すように、機械錠３１，３２からカバー３５が取り外されると、カバー検知スイッチ５１の突起５２がカバー３５の突部３５ａの押圧から開放される。このため、図１４（ｂ）に示すように、接点５１ａと接点５１ｂとが導通する。すなわち、カバー検知スイッチ５１がＯＮされる。これにより、ブザー４４は作動し、警告音を発する。
【００８４】
そして、図１５（ａ）に示すように、機械錠３１，３２の挿入口３４内に機械鍵５３が挿入されると、同機械鍵５３の先端によって突起５２が押圧される。これにより、図１５（ｂ）に示すように、カバー検知スイッチ５１が再びＯＦＦされ、ブザー４４の作動が停止する。つまり、カバー３５の突部３５ａまたは機械鍵５３に相当するものを挿入口３４内に挿入しておかないと、ブザー４４が作動するようになっている。
【００８５】
したがって、本実施形態によれば、前記各実施形態における上記（１）〜（７）及び（１２）に記載の効果に加えて、以下のような効果を得ることができる。
（１３）カバー３５の突部３５ａまたは機械鍵５３に相当するものを挿入口３４内に挿入しておかないと、ブザー４４が作動する。このため、第三者が、カバー３５を取り外して、機械鍵５３以外のものを機械錠３１，３２の挿入口３４に挿入して破錠しようとした際には、ブザー４４が確実に作動する。よって、第三者による機械錠３１，３２の破錠を高いレベルで抑制することができ、ドア錠７，８のセキュリティレベルをより向上させることができる。しかも、家人が機械鍵５３によってドア錠７，８を解錠する際には、機械鍵５３を挿入口３４に差し込むだけでブザー４４の作動を停止させることができる。このため、家人が機械鍵５３を用いてドア錠７，８を解錠した際には、より一層速やかに、かつ容易にブザー４４の作動を停止させることができる。
【００８６】
（１４）カバー検知スイッチ５１は、見えない箇所に配設されている。このため、第三者によってカバー検知スイッチ５１を無効化するような操作が行われてしまうことを防止することができる。よって、第三者による破錠作業時には、ブザー４４を確実に作動させることができ、ドア錠７，８のセキュリティレベルを確実に向上させることができる。
【００８７】
（１５）ブザー作動回路４５は、ブザー４４とカバー検知スイッチ５１のみによって構成されている。このため、ブザー作動回路４５をより簡単に構成することができる。
【００８８】
なお、本発明の実施形態は以下のように変更してもよい。
・  前記第２〜第４実施形態では、ブザー作動回路４５が、リレーＲＬ１，ＲＬ２を用いて構成されている。しかし、これらリレーＲＬ１，ＲＬ２に代えて、トランジスタ等の無接点型のスイッチ素子を用いてブザー作動回路４５を構成するようにしてもよい。このようにすれば、ブザー作動回路４５を小さく構成することができるとともに、同回路４５を小電力で駆動させることができる。
【００８９】
・  第２〜第４実施形態におけるカバー検知スイッチ４１は、どのようなスイッチであってもよい。例えば、マグネットセンサを機械錠３１，３２側に設けるとともに、カバー３５にマグネットを設ければ、非接触で信頼性の高いカバー３５の有無検知を行うことができる。
【００９０】
・  前記第２〜第５実施形態において、ブザー４４の警告音を、時間経過に従って音量が増すようにしてもよい。このようにすれば、家人が機械錠３１，３２を利用してドア錠７，８を解錠させる際にブザー４４が作動しても、ブザー４４が小音量で警告音を発しているときにその作動を停止させることができる。
【００９１】
また、カバー３５を機械錠３１，３２から取り外してから所定時間経過後にブザー４４を作動させるようにしてもよい。このようにすれば、家人が機械錠３１，３２によるドア錠７，８の解錠を行う際に、ブザー４４が作動してしまうことを防止することができる。
【００９２】
・  前記第２〜第５実施形態では、カバー３５が機械錠３１，３２から取り外されると、ブザー４４は、所定の作動停止操作を行わない限り作動し続ける。このため、第三者がカバー３５を取り外してそのまま放置したときには、家人がブザー４４の作動停止操作を行わないと、ブザー４４は作動し続ける。そこで、このブザー４４を、作動してから所定時間経過後（例えば１０分後）に、自動的に停止するようにしてもよい。このようにすれば、第三者がカバー３５を取り外してそのまま放置した際に、ブザー４４が作動し続けることを防止することができる。
【００９３】
・  前記第２〜第５実施形態では、警告手段としてブザー４４を用い、ブザー音による警告を行うようになっている。しかし、この警告手段としてスピーカを用い、音声による警告を行うようにしてもよい。また、警告手段としてライトなどを用い、光による警告を行うようにしてもよい。さらに、警告と同時に、別のセキュリティ装置に信号が伝達されるようにしてもよい。このようにすれば、離れた場所へ異常を知らせることができる。
【００９４】
・  前記表示部６をカバー３５，３６に設けるようにしてもよい。このようにすれば、カバー３５，３６を、カバーとしてではなく表示部として見せることができ、その下に機械錠３１，３２が存在することを認識させにくくすることができる。
【００９５】
・  カバー３５，３６の表面は、ドア３と同色に限らず、不透明であれば何色に着色されていてもよい。しかし、カバー３５，３６の表面は、目立たない色で着色されている方が望ましい。
【００９６】
・  機械錠３１，３２の形状は、略小判状や略円形状に限らず、例えば略四角形状や略楕円形状など、どのような形状であってもよい。
・  前記各実施形態では、ドア錠７，８を施解錠する装置として遠隔操作装置１を用い、ドア錠７，８を自動的に施解錠可能としている。しかし、ドア錠７，８を施解錠する装置としては、前記遠隔操作装置１に限らず、前述した従来の電子キーシステムや、指紋や音声によるＩＤ照合を行う装置を用いてもよい。すなわち、ドア錠７，８をＩＤ照合動作に基づいて施解錠するものであれば何でも適用可能である。
【００９７】
・  前記各実施形態では、ドア３に２つのドア錠７，８が設けられている。しかし、ドア錠７，８は、２つに限らず、１つのみであってもよい。このようにすれば、機械錠３１，３２のうちの１つのみを設ければよく、部品点数を減らすことができる。また、ドア錠を３つ以上設けてもよい。このようにすれば、セキュリティをより向上させることができる。
【００９８】
・  手動ロック機構７ａ，８ａを省略してもよい。このようにしても、自動施解錠動作によって、ドア錠７，８を施解錠させることができる。
・  表示部６を省略してもよい。
【００９９】
・  通信制御装置１２は、ドア３内に限らず、ドア３の近辺に配設されてもよい。
・  前記各実施形態では、リクエスト信号を電波として出力している。しかし、リクエスト信号は、所定領域Ａ１，Ａ２に出力される磁界であってもよい。
【０１００】
・  ドア３は、住宅用に限らず、店舗や事務所等の建物用ドアであってもよい。また、建物用ドアに限らず、車両用ドアであってもよい。この場合には、警告手段としてクラクションを用いれば、部品点数の増加を防止することができる。
【０１０１】
次に、特許請求の範囲に記載された技術的思想のほかに、前述した実施形態によって把握される技術的思想をその効果とともに以下に列挙する。
（１）  請求項１〜５のいずれか１項に記載のドアにおいて、前記警告手段は、ブザーであること。この技術的思想（１）に記載の発明によれば、ドア錠の不正な解錠が行われようとしたときには、近隣の住人などにその旨を認識させることができる。また、音による警告は不審者に対して心理的に与える効果が大きいため、泥棒等の侵入の抑止力効果を高めることができる。
【０１０２】
（２）  請求項１〜５、技術的思想（１）のいずれか１項に記載のドアにおいて、前記警告手段は、所定時間経過後に作動を停止すること。この技術的思想（２）に記載の発明によれば、第三者が警告手段を作動させてそのまま放置させた際に、同警告手段が作動し続けることを防止することができる。
【０１０３】
（３）  請求項１〜５のいずれか１項に記載のドアにおいて、前記カバーの表面の色は、前記ドアの屋外側面の色と近似したものであること。この技術的思想（３）に記載の発明によれば、ドアに機械錠が設けられていることを、より認識しにくくすることができる。
【０１０４】
【発明の効果】
以上詳述したように、請求項１〜５に記載の発明によれば、ドア錠のセキュリティレベル及び操作性の低下を防止することができる。
【０１０６】
請求項２に記載の発明によれば、停電時において機械鍵を用いてドア錠を解錠する際に、警告手段が作動してしまうことを防止することができる。
【０１０７】
請求項３に記載の発明によれば、ドア錠のセキュリティレベルをより一層向上させることができる。
請求項４に記載の発明によれば、家人が機械鍵を用いてドア錠を解錠した際には、速やかに警告手段の作動を停止させることができる。
【０１０８】
請求項５に記載の発明によれば、家人が機械鍵を用いてドア錠を解錠した際には、警告手段の作動時間を最低限に抑えることができる。
【図面の簡単な説明】
【図１】本発明を具体化した第１実施形態のドアを屋外側から視た概略斜視図。
【図２】同実施形態のドアの概略側面図。
【図３】（ａ）は同実施形態のドアの機械錠部分を拡大して示す概略斜視図、（ｂ）は（ａ）のＡ−Ａ線断面図。
【図４】同実施形態に用いられる遠隔操作装置の概略構成を示すブロック図。
【図５】他の実施形態のドアの機械錠部分を拡大して示す概略斜視図。
【図６】（ａ）は第２実施形態のドアの機械錠部分を拡大して示す概略斜視図、（ｂ）は（ａ）のＡ−Ａ線断面図。
【図７】同実施形態における警告手段の作動回路図。
【図８】第３実施形態のドアの閉じ部を拡大して示す概略平面図。
【図９】（ａ）〜（ｃ）は、同実施形態における警告手段の作動回路図。
【図１０】（ａ），（ｂ）は、第４実施形態のドアの機械錠部分を拡大して示す概略正面図。
【図１１】（ａ），（ｂ）は、同実施形態における警告手段の作動回路図。
【図１２】（ａ），（ｂ）は、同実施形態における警告手段の作動回路図。
【図１３】（ａ）は第５実施形態における機械錠を拡大して示す概略斜視図、（ｂ）は（ａ）のＢ−Ｂ線断面図、（ｃ）は同実施形態における警告手段の作動回路図。
【図１４】（ａ）は図１３（ａ）のＢ−Ｂ線断面図、（ｂ）は同実施形態における警告手段の作動回路図。
【図１５】（ａ）は図１３（ａ）のＢ−Ｂ線断面図、（ｂ）は同実施形態における警告手段の作動回路図。
【符号の説明】
１…遠隔操作装置、２…住宅、３…ドア、４…屋外アンテナ部、５…屋内アンテナ部、４ａ，５ａ…送信アンテナ、４ｂ，５ｂ…受信アンテナ、７，８…ドアキー、９…第１登録スイッチ、１０…第２登録スイッチ、１０ａ…保護カバー、１１…携帯機、１２…送受信装置、２１…送信回路、２３…マイコン、３１，３２…機械錠、３４…挿入口、３５，３６…カバー、３５ａ…突部、３９…固定手段としてのボルト、４１，５１…カバー検知手段としてのカバー検知スイッチ、４４…警告手段としてのブザー、４５…ブザー作動回路、４６…停止手段としてのブザー停止スイッチ、５０…検出手段としての検出スイッチ。
【図１】
0003898413.tif 000002
【図２】
0003898413.tif 000003
【図３】
0003898413.tif 000004
【図４】
0003898413.tif 000005
【図５】
0003898413.tif 000006
【図６】
0003898413.tif 000007
【図７】
0003898413.tif 000008
【図８】
0003898413.tif 000009
【図９】
0003898413.tif 000010
【図１０】
0003898413.tif 000011
【図１１】
0003898413.tif 000012
【図１２】
0003898413.tif 000013
【図１３】
0003898413.tif 000014
【図１４】
0003898413.tif 000015
【図１５】
0003898413.tif 000016